(57)【特許請求の範囲】
【請求項１】
開口部及び前記開口部の上方に配置されたソケットを有する器具本体と、
前記器具本体の内部に配置され、前記ソケットに着脱自在に取り付けられる口金を有する照明部材と、
前記器具本体の前記開口部の下方に配置された装飾部材と、
前記装飾部材を前記照明部材から吊り下げる吊下部材と、
前記吊下部材と連結され、前記装飾部材を前記器具本体の前記開口部に近付けるように前記吊下部材を付勢する付勢部材と、
前記装飾部材に配置され、前記付勢部材を収納する収納ケースと、を備え、
前記吊下部材の下端部は、前記収納ケースの内部で前記付勢部材と連結されている
照明器具。
【請求項２】
前記収納ケースは、所定方向に並んで配置された第１の取出口及び第２の取出口を有し、
前記吊下部材は、前記第１の取出口及び前記第２の取出口のいずれか一方から前記収納ケースの外部に取り出される
請求項１に記載の照明器具。
【請求項３】
前記収納ケースは、
前記付勢部材を伸縮自在に収納するケース本体部と、
前記ケース本体部から前記付勢部材の伸縮方向に延び、前記吊下部材の一部を移動自在に収納する取出部と、を有し、
前記取出部の先端部は、前記器具本体の前記開口部の周縁部よりも前記開口部の径方向内側に突出し、
前記第１の取出口及び前記第２の取出口は、前記取出部の前記先端部に配置されている
請求項２に記載の照明器具。
【請求項４】
前記取出部は、枠状に形成されている
請求項３に記載の照明器具。
【請求項５】
前記吊下部材、前記付勢部材及び前記収納ケースはそれぞれ一対設けられ、
前記一対の収納ケースの各々の前記第１の取出口は、前記器具本体の中心軸に対して略対称に配置され、
前記一対の収納ケースの各々の前記第２の取出口は、前記器具本体の中心軸に対して略対称に配置されている
請求項２〜４のいずれか１項に記載の照明器具。
【請求項６】
前記器具本体は、前記開口部の周縁部から前記開口部の径方向外側に延びる鍔部を有し、
前記装飾部材は、前記収納ケースが前記鍔部に接触するように配置されている
請求項１〜５のいずれか１項に記載の照明器具。
【請求項７】
前記装飾部材は、
前記器具本体の前記開口部の周囲に配置された装飾リングと、
前記装飾リングに着脱自在に取り付けられ、前記器具本体の前記開口部を覆う透光性の装飾カバーと、を有する
請求項１〜６のいずれか１項に記載の照明器具。
【請求項８】
開口部及び前記開口部の上方に配置されたソケットを有する器具本体に着脱自在に取り付けられる照明ユニットであって、
前記器具本体の内部に配置され、前記ソケットに着脱自在に取り付けられる口金を有する照明部材と、
前記器具本体の前記開口部の下方に配置される装飾部材と、
前記装飾部材を前記照明部材から吊り下げる吊下部材と、
前記吊下部材と連結され、前記装飾部材を前記器具本体の前記開口部に近付けるように前記吊下部材を付勢する付勢部材と、
前記装飾部材に配置され、前記付勢部材を収納する収納ケースと、を備え、
前記吊下部材の下端部は、前記収納ケースの内部で前記付勢部材と連結されている
照明ユニット。
【発明の詳細な説明】
【技術分野】
【０００１】
本発明は、照明器具及びこれに用いられる照明ユニットに関する。
【背景技術】
【０００２】
天井に埋込配設されることにより、下方に光を照射する天井埋込型の照明器具（いわゆるダウンライト）が知られている。この種の照明器具は、天井に埋込配設された器具本体と、器具本体に着脱自在に取り付けられた電球型ランプとを備えている（例えば、特許文献１参照）。この種の照明器具は、例えば施工業者によって住宅等の建物の天井に設置される。
【先行技術文献】
【特許文献】
【０００３】
【特許文献１】特開２０１３−２２９１３８号公報
【発明の概要】
【発明が解決しようとする課題】
【０００４】
上述した照明器具を設置した後に、ユーザは、照明器具のデザインの変更を希望する場合がある。この場合、ユーザは、例えば施工業者に再度依頼して照明器具を交換してもらわなければならず、照明器具のデザインを容易に変更することができないという課題が生じる。
【０００５】
本発明は、このような課題に鑑みてなされたものであり、デザインを容易に変更することができる照明器具及び照明ユニットを提供することを目的とする。
【課題を解決するための手段】
【０００６】
上記課題を解決するために、本発明の一態様に係る照明器具は、開口部及び前記開口部の上方に配置されたソケットを有する器具本体と、前記器具本体の内部に配置され、前記ソケットに着脱自在に取り付けられる口金を有する照明部材と、前記器具本体の前記開口部の下方に配置された装飾部材と、前記装飾部材を前記照明部材から吊り下げる吊下部材と、前記吊下部材と連結され、前記装飾部材を前記器具本体の前記開口部に近付けるように前記吊下部材を付勢する付勢部材と、を備える。
【０００７】
また、本発明の一態様に係る照明ユニットは、開口部及び前記開口部の上方に配置されたソケットを有する器具本体に着脱自在に取り付けられる照明ユニットであって、前記器具本体の内部に配置され、前記ソケットに着脱自在に取り付けられる口金を有する照明部材と、前記器具本体の前記開口部の下方に配置される装飾部材と、前記装飾部材を前記照明部材から吊り下げる吊下部材と、前記吊下部材と連結され、前記装飾部材を前記器具本体の前記開口部に近付けるように前記吊下部材を付勢する付勢部材と、を備える。
【発明の効果】
【０００８】
本発明の一態様に係る照明器具等によれば、照明器具のデザインを容易に変更することができる。
【図面の簡単な説明】
【０００９】
【図１】実施の形態１に係る照明器具を示す斜視図である。
【図２】実施の形態１に係る照明器具を示す分解斜視図である。
【図３】実施の形態１に係る照明器具の断面図である。
【図４】実施の形態１に係る照明ユニットを器具本体に取り付ける前の状態で、照明器具を室内側から見上げた状態を示す斜視図である。
【図５】実施の形態１に係る照明ユニットを器具本体に取り付ける途中の状態を示す斜視図である。
【図６】実施の形態１に係る照明ユニットを器具本体に取り付ける途中の状態を示す斜視図である。
【図７】実施の形態１に係る照明ユニットを器具本体に取り付けた状態で、照明器具を室内側から見上げた状態を示す斜視図である。
【図８】実施の形態２に係る照明器具を示す斜視図である。
【図９Ａ】コイルバネを収納ケースから取り外した状態での、実施の形態２に係る収納ケースの裏面側を示す斜視図である。
【図９Ｂ】コイルバネを収納ケースに収納した状態での、実施の形態２に係る収納ケースの裏面側を示す斜視図である。
【図１０】収納ケースと鍔部との接触部分を拡大して示す断面斜視図である。
【図１１Ａ】ワイヤーを収納ケースの第１の取出口から取り出した状態での、実施の形態３に係る照明ユニットを示す斜視図である。
【図１１Ｂ】ワイヤーを収納ケースの第１の取出口から取り出した状態での、実施の形態３に係る照明器具の断面図である。
【図１２Ａ】ワイヤーを収納ケースの第２の取出口から取り出した状態での、実施の形態３に係る照明ユニットを示す斜視図である。
【図１２Ｂ】ワイヤーを収納ケースの第２の取出口から取り出した状態での、実施の形態３に係る照明器具の断面図である。
【図１３】実施の形態３に係る照明器具を示す斜視図である。
【図１４】実施の形態３に係る照明ユニットを示す斜視図である。
【図１５】実施の形態４に係る照明器具を示す斜視図である。
【図１６】実施の形態４に係る照明ユニットを示す斜視図である。
【図１７】実施の形態５に係る照明器具を示す斜視図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態１）
以下、実施の形態１に係る照明器具及び照明ユニットについて説明する。
【００１３】
［１−１．照明器具の全体構成］
図１〜図３を参照しながら、実施の形態１に係る照明器具２の全体構成について説明する。図１は、実施の形態１に係る照明器具２を示す斜視図である。図２は、実施の形態１に係る照明器具２を示す分解斜視図である。図３は、実施の形態１に係る照明器具２の断面図である。なお、説明の都合上、図１では、器具本体６の一部を切り欠いて図示してある。
【００１４】
実施の形態１に係る照明器具２は、例えば住宅等の建物における室内の天井４に埋込配設されることにより、下方（図１〜図３において下方）に光を照射する天井埋込型の照明器具（いわゆるダウンライト）である。
【００１５】
図１〜図３に示すように、照明器具２は、器具本体６と、器具本体６に着脱自在に取り付けられる照明ユニット８とを備えている。以下、照明器具２の各構成要素について詳細に説明する。
【００１６】
［１−２．器具本体］
まず、図１〜図３を参照しながら、器具本体６について説明する。図１〜図３に示すように、器具本体６は、上端部から下端部にかけて直径が漸増するラッパ状に形成されている。器具本体６は、例えばアルミニウム等の金属で一体に形成されている。本実施の形態では、器具本体６は、アルミダイカスト製である。
【００１７】
器具本体６の上端部にはソケット１０が配置されている。ソケット１０の内周面には雌ネジ１２が形成されている。ソケット１０は、照明器具２の外部に設置された商用電源等の外部電源（図示せず）とリード線（図示せず）を介して電気的に接続されている。外部電源からの交流電力（例えばＡＣ１００Ｖ）は、リード線を介してソケット１０に供給される。
【００１８】
器具本体６の下端部には、円形状の開口部１４が形成されている。すなわち、上述したソケット１０は、開口部１４の上方に配置されている。開口部１４の周縁部には、径方向外側に延びるリング状の鍔部１６が形成されている。
【００１９】
器具本体６の下端部近傍における外側面には、複数の取付バネ（図示せず）が取り付けられている。これらの複数の取付バネは、照明器具２を天井４に取り付けるためのものである。複数の取付バネの各々は、弾性復元力を有する金属板で形成されている。
【００２０】
図１及び図３に示すように、器具本体６が天井４に形成された円形状の貫通孔１８に下方より挿通された状態で、複数の取付バネの各々と鍔部１６との間に天井４を挟持することにより、照明器具２が天井４に埋込配設される。
【００２１】
［１−３．照明ユニット］
次に、図１〜図３を参照しながら、照明ユニット８について説明する。図１〜図３に示すように、照明ユニット８は、ランプ２０（照明部材の一例）、固定リング部材２２、回動リング部材２４、一対のワイヤー２６（吊下部材の一例）及び装飾部材２８を備えている。以下、照明ユニット８の各構成要素について詳細に説明する。
【００２２】
［１−３−１．ランプ］
図１〜図３を参照しながら、ランプ２０について説明する。図１〜図３に示すように、ランプ２０は、例えば電球型ＬＥＤ（Ｌｉｇｈｔ  Ｅｍｉｔｔｉｎｇ  Ｄｉｏｄｅ）ランプであり、器具本体６の内部に配置される。ランプ２０は、筐体３０、口金３２、回路ユニット３４、ＬＥＤモジュール３６及びグローブ３８を有している。なお、図３に示すように、ランプ２０は、ＬＥＤモジュール３６の光軸Ｃ１が器具本体６の中心軸Ｃ２に対して略平行となる姿勢（すなわち、縦向きの姿勢）で配置されている。
【００２３】
筐体３０は、一端部から他端部にかけて直径が漸増するラッパ状に形成されている。筐体３０は、例えばポリブチレンテレフタレート（ＰＢＴ）等の樹脂で形成されている。
【００２４】
口金３２は、ＬＥＤモジュール３６を発光させるための交流電力を受電する受電部であり、筐体３０の一端部に配置されている。口金３２の外周面には雄ネジ４０が形成されており、これにより口金３２は、器具本体６のソケット１０に着脱自在にねじ込まれる。このように口金３２がソケット１０に取り付けられることにより、口金３２は、ＬＥＤモジュール３６を発光させるための交流電力をソケット１０から受電することができる。なお、口金３２は、例えばねじ込み型のエジソンタイプ（Ｅ型）の口金である。
【００２５】
回路ユニット３４は、ＬＥＤモジュール３６を駆動するためのものであり、図３に示すように筐体３０の内部に配置されている。回路ユニット３４は、口金３２から供給された交流電力を、整流、平滑及び降圧等することにより所定レベルの直流電力に変換し、当該直流電力をＬＥＤモジュール３６に供給する。
【００２６】
ＬＥＤモジュール３６は、筐体３０の内部に配置されており、筐体３０の内部において口金３２と電気的に接続されている。ＬＥＤモジュール３６は、基板４２と、基板４２に実装された複数のＬＥＤチップ４４と、複数のＬＥＤチップ４４を封止する封止部材（図示せず）とを有している。ＬＥＤモジュール３６の実装構造は、例えばＬＥＤチップ４４が基板４２上に直接実装されたＣＯＢ（Ｃｈｉｐ  Ｏｎ  Ｂｏａｒｄ）構造である。
【００２７】
基板４２は、例えばセラミック基板、樹脂基板又はメタルベース基板等である。基板４２上には、回路ユニット３４からの直流電力を受電するための電極端子（図示せず）と、複数のＬＥＤチップ４４を実装するための配線パターン（図示せず）とが形成されている。
【００２８】
複数のＬＥＤチップ４４の各々は、例えば青色光を発する青色ＬＥＤチップである。複数のＬＥＤチップ４４は、基板４２上に形成された配線パターンに実装されており、基板４２上にマトリクス状に配置されている。
【００２９】
封止部材は、例えば透光性を有する樹脂で形成されており、複数のＬＥＤチップ４４が発する青色光を黄色光に波長変換する蛍光体粒子を含んでいる。これにより、ＬＥＤモジュール３６は、複数のＬＥＤチップ４４が発する青色光と、蛍光体粒子によって波長変換された黄色光との合成光として白色光を発する。
【００３０】
グローブ３８は、ＬＥＤモジュール３６からの光をランプ２０の外部に取り出すためのものであり、透光性を有する材料（例えば、透明又は半透明のガラス等）で形成されている。グローブ３８は、半球状に形成され、ＬＥＤモジュール３６を覆うように筐体３０の他端部に配置されている。
【００３１】
［１−３−２．固定リング部材］
次に、図１〜図３を参照しながら、固定リング部材２２について説明する。固定リング部材２２は、回動リング部材２４がランプ２０に対して口金３２側に移動するのを規制するためのものである。
【００３２】
図１〜図３に示すように、固定リング部材２２は、例えば樹脂で形成され、リング状に形成されている。より具体的な形状としては、固定リング部材２２は、ランプ２０の筐体３０の形状に対応して、一端部から他端部にかけて直径が漸増するラッパ状に形成されている。固定リング部材２２は、口金３２と回動リング部材２４との間に配置されており、ランプ２０の筐体３０の外周部に例えば接着剤等で固定されている。
【００３３】
固定リング部材２２の他端部における開口縁部２２ａには、固定リング部材２２の周方向に延びる切り欠き部４６が複数形成されている。複数の切り欠き部４６は、固定リング部材２２の周方向に間隔を置いて配置されている。
【００３４】
［１−３−３．回動リング部材］
次に、図１〜図３を参照しながら、回動リング部材２４について説明する。回動リング部材２４は、ランプ２０の口金３２をソケット１０に取り付ける（又はソケット１０から取り外す）際に、装飾部材２８がランプ２０と伴回りするのを抑制するためのものである。
【００３５】
図１〜図３に示すように、回動リング部材２４は、例えば樹脂で形成され、リング状に形成されている。より具体的な形状としては、回動リング部材２４は、ランプ２０の筐体３０の形状に対応して、一端部から他端部にかけて直径が漸増するラッパ状に形成されている。回動リング部材２４は、ランプ２０の筐体３０の外周部に、ランプ２０に対して回動自在に取り付けられている。これにより、回動リング部材２４は、その一端部における開口縁部２４ａが固定リング部材２２の他端部における開口縁部２２ａと接触した状態で、ランプ２０に対して回動自在である。
【００３６】
なお、回動リング部材２４の他端部における直径は、ランプ２０の筐体３０の他端部における直径よりも小さいので、回動リング部材２４がランプ２０に対してグローブ３８側に移動するのが規制されている。また、上述したように、回動リング部材２４は、固定リング部材２２によってランプ２０に対して口金３２側に移動するのが規制されている。これにより、回動リング部材２４をランプ２０から取り外すことができないように構成されている。
【００３７】
回動リング部材２４の他端部における外周面には、一対の連結部４８が形成されている。一対の連結部４８は、回動リング部材２４の中心軸に対して略対称な位置に配置されている。一対の連結部４８の各々には、連結リング５０（後述する）を回動自在に挿通するための挿通孔５２が形成されている。
【００３８】
［１−３−４．ワイヤー］
次に、図１〜図３を参照しながら、一対のワイヤー２６について説明する。一対のワイヤー２６は、装飾部材２８を回動リング部材２４から（すなわち、ランプ２０から）吊り下げるための金属製のワイヤーである。
【００３９】
図１〜図３に示すように、一対のワイヤー２６の各々の上端部には、連結リング５０が接続されている。一対のワイヤー２６の各々の上端部は、この連結リング５０を介して回動リング部材２４の連結部４８に回動自在に連結されている。一対のワイヤー２６の各々の下端部は、装飾部材２８に配置されたコイルバネ６４（後述する）に接続されている。
【００４０】
これにより、一対のワイヤー２６は、回動リング部材２４と装飾部材２８とを相互に連結することによって、装飾部材２８を回動リング部材２４から吊り下げる。なお、図３に示すように、一対のワイヤー２６は、器具本体６の内側面に沿って、器具本体６の中心軸Ｃ２に対して傾斜するように配置される。
【００４１】
［１−３−５．装飾部材］
次に、図１〜図３を参照しながら、装飾部材２８について説明する。装飾部材２８は、器具本体６の開口部１４の下方に配置されることにより、器具本体６を室内側から装飾するためのものである。図１〜図３に示すように、装飾部材２８は、装飾リング５４及び装飾カバー５６を有している。
【００４２】
図１及び図２に示すように、装飾リング５４は、リング状に形成され、器具本体６の開口部１４の周囲に配置されている。装飾リング５４の下面（室内側の面）には、例えば木目等の模様（図示せず）が形成されている。
【００４３】
装飾リング５４の上面には、円弧状に延びる一対の収納ケース５８が着脱自在に取り付けられている。一対の収納ケース５８は、装飾リング５４の中心軸に対して略対称な位置に配置されている。収納ケース５８の一端部には取出口６０が形成され、収納ケース５８の他端部には固定部６２が形成されている。
【００４４】
一対の収納ケース５８の各々の内部には、コイルバネ６４（付勢部材の一例）が伸縮自在に配置されている。コイルバネ６４の一端部は、収納ケース５８の内部でワイヤー２６の下端部に連結されている。このとき、ワイヤー２６は、収納ケース５８の取出口６０から収納ケース５８の外部に取り出される。コイルバネ６４の他端部は、収納ケース５８の固定部６２に固定されている。これにより、一対のコイルバネ６４はそれぞれ、一対のワイヤー２６に引っ張られることによって収納ケース５８の内部で伸びるようになる。その結果、一対のワイヤー２６はそれぞれ、一対のコイルバネ６４によって、装飾部材２８を器具本体６の開口部１４に近付けるように付勢される。
【００４５】
また、装飾リング５４の上面には、一対のボス６６が形成されている。一対のボス６６はそれぞれ、一対の収納ケース５８の各々の取出口６０の近傍に配置されている。さらに、装飾リング５４の上面における内周縁には、円筒状の壁部６８が形成されている。この壁部６８のボス６６に対向する部位には、鉤状の切り欠き部７０が形成されている。収納ケース５８の取出口６０から延びるワイヤー２６は、ボス６６の外周面に引っ掛けられ、且つ、壁部６８の切り欠き部７０に引っ掛けられている。
【００４６】
装飾カバー５６は、有底円筒状に形成され、透光性を有する材料（例えば、乳白色の樹脂等）で形成されている。装飾カバー５６は、装飾リング５４の壁部６８に着脱自在に取り付けられ、器具本体６の開口部１４を下方より覆っている。なお、装飾カバー５６を装飾リング５４に取り付ける際には、図１の矢印Ｐで示す方向に装飾カバー５６を装飾リング５４に対して回動させる。一方、装飾カバー５６を装飾リング５４から取り外す際には、図１の矢印Ｑで示す方向に装飾カバー５６を装飾リング５４に対して回動させる。例えば装飾カバー５６が乳白色の樹脂で形成されている場合には、装飾カバー５６は拡散カバーとして機能し、ランプ２０からの光を拡散させる。
【００４７】
装飾カバー５６の開口縁部には、矩形状の一対の切り欠き部７２が形成されている。図１に示すように、装飾カバー５６が装飾リング５４に取り付けられた状態で、一対の切り欠き部７２はそれぞれ、装飾リング５４の壁部６８に形成された一対の切り欠き部７０に対向するように配置される。これにより、壁部６８の切り欠き部７０に引っ掛けられたワイヤー２６が装飾カバー５６の切り欠き部７２に逃がされるので、ワイヤー２６が装飾カバー５６の開口縁部と干渉するのを抑制することができる。
【００４８】
［１−４．照明ユニットの取付手順］
次に、図４〜図７を参照しながら、照明ユニット８を器具本体６に取り付ける手順について説明する。図４は、実施の形態１に係る照明ユニット８を器具本体６に取り付ける前の状態で、照明器具２’を室内側から見上げた状態を示す斜視図である。図５及び図６は、実施の形態１に係る照明ユニット８を器具本体６に取り付ける途中の状態を示す斜視図である。図７は、実施の形態１に係る照明ユニット８を器具本体６に取り付けた状態で、照明器具２を室内側から見上げた状態を示す斜視図である。なお、説明の都合上、図５及び図６では、器具本体６の一部を切り欠いて図示してある。
【００４９】
図４に示すように、照明ユニット８を器具本体６に取り付ける前の状態では、天井４には、既存のダウンライトである照明器具２’が設置されている。器具本体６のソケット１０（図１参照）には、例えば既存の電球型ＬＥＤランプであるランプ７４が着脱自在に取り付けられている。また、器具本体６の鍔部１６が天井４の室内側の面に露出されるとともに、ランプ７４が器具本体６の開口部１４を通して露出されている。この照明器具２’のデザインを変更する場合には、以下の手順で照明ユニット８を器具本体６に取り付ければよい。
【００５０】
まず、図５に示すように、ランプ７４を器具本体６のソケット１０から取り外した後に、照明ユニット８のランプ２０を器具本体６のソケット１０に取り付ける。このとき、予め装飾カバー５６を装飾リング５４から取り外しておくことにより、ユーザは、装飾リング５４の開口部に手を挿入してランプ２０を手で掴むことができる。
【００５１】
図６に示すように、ランプ２０を器具本体６のソケット１０に取り付ける際には、図６の矢印Ｒで示す方向にランプ２０を器具本体６に対して回動させる。このとき、回動リング部材２４がランプ２０に対して回動する（すなわち、回動リング部材２４が器具本体６に対して静止している）ので、回動リング部材２４から吊り下げられた装飾部材２８がランプ２０と伴回りするのを抑制することができる。
【００５２】
ランプ２０が器具本体６のソケット１０に取り付けられた状態では、装飾リング５４は、回動リング部材２４から吊り下げられた状態で、器具本体６の開口部１４の周囲に配置される。このとき、器具本体６の開口部１４からソケット１０までの距離Ｄ（図３参照）に応じて、一対のコイルバネ６４がそれぞれ一対のワイヤー２６に引っ張られることにより伸びるようになる。これにより、一対のワイヤー２６はそれぞれ、一対のコイルバネ６４によって、装飾部材２８を器具本体６の開口部１４に近付けるように付勢される。その結果、一対のワイヤー２６の各々の回動リング部材２４から装飾部材２８までの長さＬ（図３参照）を調節することができる。
【００５３】
また、一対のコイルバネ６４の付勢力によって、上述した図３に示すように、一対の収納ケース５８の各々が器具本体６の鍔部１６に接触するようになる。このとき、装飾リング５４は天井４に接触しない。
【００５４】
その後、図６に示すように、装飾カバー５６を装飾リング５４に取り付ける。これにより、図７に示すように、装飾リング５４が器具本体６の開口部１４の周囲に配置され、且つ、装飾カバー５６が器具本体６の開口部１４を覆うことにより、器具本体６が装飾部材２８により装飾される。以上のようにして、照明器具２のデザインを変更することができる。
【００５５】
［１−５．効果］
上述したように、実施の形態１に係る照明器具２は、開口部１４及び開口部１４の上方に配置されたソケット１０を有する器具本体６と、器具本体６の内部に配置され、ソケット１０に着脱自在に取り付けられる口金３２を有するランプ２０と、器具本体６の開口部１４の下方に配置された装飾部材２８と、装飾部材２８をランプ２０から吊り下げるワイヤー２６と、ワイヤー２６と連結され、装飾部材２８を器具本体６の開口部１４に近付けるようにワイヤー２６を付勢するコイルバネ６４とを備える。
【００５６】
この構成によれば、装飾部材２８がランプ２０から吊り下げられているので、ランプ２０を器具本体６に取り付けることにより、装飾部材２８が器具本体６の開口部１４の下方に配置され、器具本体６が装飾部材２８により装飾される。これにより、ランプ２０を器具本体６に取り付けるという比較的簡単な作業を行うことにより、照明器具２のデザインを容易に変更することができる。さらに、ワイヤー２６は、コイルバネ６４によって装飾部材２８を器具本体６の開口部１４に近付けるように付勢されている。これにより、器具本体６の開口部１４からソケット１０までの距離Ｄに応じて、コイルバネ６４がワイヤー２６に引っ張られて伸びることによって、ワイヤー２６の長さＬを調節することができる。
【００５７】
さらに、照明器具２は、さらに、装飾部材２８に配置され、コイルバネ６４を収納する収納ケース５８を備えている。ワイヤー２６の下端部は、収納ケース５８の内部でコイルバネ６４と連結されている。
【００５８】
この構成によれば、コイルバネ６４を収納ケース５８の内部にコンパクトに配置することができる。
【００５９】
さらに、器具本体６は、開口部１４の周縁部から開口部１４の径方向外側に延びる鍔部１６を有している。装飾部材２８は、収納ケース５８が鍔部１６に接触するように配置されている。
【００６０】
仮に、収納ケース５８が天井４に接触している場合には、ワイヤー２６がコイルバネ６４によって付勢された際に、収納ケース５８と天井４との接触部を支点として、器具本体６を天井４の貫通孔１８から引き抜く力が器具本体６に加わるおそれがある。これに対して、上記の構成によれば、収納ケース５８が鍔部１６に接触しているので、ワイヤー２６がコイルバネ６４によって付勢された際に、鍔部１６が収納ケース５８によって天井４に向けて押し当てられるようになる。これにより、器具本体６がコイルバネ６４の付勢力によって天井４の貫通孔１８から引き抜かれるのを抑制することができる。
【００６１】
さらに、装飾部材２８は、器具本体６の開口部１４の周囲に配置された装飾リング５４と、装飾リング５４に着脱自在に取り付けられ、器具本体６の開口部１４を覆う透光性の装飾カバー５６とを有する。
【００６２】
この構成によれば、装飾カバー５６の種類を例えば拡散タイプの装飾カバー又はシャンデリアタイプの装飾カバー等に交換することにより、照明器具２のデザインを容易に変更することができる。
【００６３】
また、実施の形態１に係る照明ユニット８は、開口部１４及び開口部１４の上方に配置されたソケット１０を有する器具本体６に着脱自在に取り付けられる照明ユニットである。照明ユニット８は、器具本体６の内部に配置され、ソケット１０に着脱自在に取り付けられる口金３２を有するランプ２０と、器具本体６の開口部１４の下方に配置される装飾部材２８と、装飾部材２８をランプ２０から吊り下げるワイヤー２６と、ワイヤー２６と連結され、装飾部材２８を器具本体６の開口部１４に近付けるようにワイヤー２６を付勢するコイルバネ６４とを備える。
【００６４】
この構成によれば、装飾部材２８がランプ２０から吊り下げられているので、ランプ２０を器具本体６に取り付けることにより、装飾部材２８が器具本体６の開口部１４の下方に配置され、器具本体６が装飾部材２８により装飾される。これにより、照明ユニット８を器具本体６に取り付けるという比較的簡単な作業を行うことにより、照明器具２のデザインを容易に変更することができる。さらに、ワイヤー２６は、コイルバネ６４によって装飾部材２８を器具本体６の開口部１４に近付けるように付勢されている。これにより、器具本体６の開口部１４からソケット１０までの距離Ｄに応じて、コイルバネ６４がワイヤー２６に引っ張られて伸びることによって、ワイヤー２６の長さＬを調節することができる。
【００６５】
（実施の形態２）
［２−１．照明器具の構成］
次に、図８〜図１２Ｂを参照しながら、実施の形態２に係る照明器具２Ａ及び照明ユニット８Ａの各構成について説明する。実施の形態２に係る照明器具２Ａでは、収納ケース５８Ａの構成が実施の形態１と異なっている。以下、実施の形態２と実施の形態１との相違点について説明する。
【００６６】
［２−１−１．収納ケース］
まず、図８〜図１２Ｂを参照しながら、収納ケース５８Ｂについて説明する。図８は、実施の形態２に係る照明器具２Ａを示す斜視図である。図９Ａは、コイルバネ６４を収納ケース５８Ａから取り外した状態での、実施の形態２に係る収納ケース５８Ａの裏面側を示す斜視図である。図９Ｂは、コイルバネ６４を収納ケース５８Ａに収納した状態での、実施の形態２に係る収納ケース５８Ａの裏面側を示す斜視図である。図１０は、収納ケース５８Ａと鍔部１６との接触部分を拡大して示す断面斜視図である。図１１Ａは、ワイヤー２６を収納ケース５８Ａの第１の取出口８８から取り出した状態での、実施の形態２に係る照明ユニット８Ａを示す斜視図である。図１１Ｂは、ワイヤー２６を収納ケース５８Ａの第１の取出口８８から取り出した状態での、実施の形態２に係る照明器具２Ａの断面図である。図１２Ａは、ワイヤー２６を収納ケース５８Ａの第２の取出口９０から取り出した状態での、実施の形態２に係る照明ユニット８Ａを示す斜視図である。図１２Ｂは、ワイヤー２６を収納ケース５８Ａの第２の取出口９０から取り出した状態での、実施の形態２に係る照明器具２Ａの断面図である。なお、説明の都合上、図８では、器具本体６の一部を切り欠いて図示してある。
【００６７】
図８〜図９Ｂに示すように、収納ケース５８Ｂは、円弧状に延びるケース本体部８５と、ケース本体部８５からコイルバネ６４の伸縮方向に延びる略台形状の枠状の取出部８６とを有している。ケース本体部８５には、コイルバネ６４が伸縮自在に収納されている。取出部８６には、ワイヤー２６の一部が移動自在に収納されている。取出部８６の先端部には、クランク形状の第１の取出口８８及び第２の取出口９０が形成されている。第１の取出口８８及び第２の取出口９０は、コイルバネ６４の伸縮方向に並んで配置されている。具体的には、第１の取出口８８は、ケース本体部８５に近い側に配置され、第２の取出口９０は、ケース本体部８５から遠い側に配置されている。また、図９Ａ及び図９Ｂに示すように、取出部８６の内部には、第１のボス９２及び第２のボス９４が形成されている。第１のボス９２及び第２のボス９４はそれぞれ、第１の取出口８８及び第２の取出口９０に対向する位置に配置されている。
【００６８】
なお、図１０に示すように、一対のコイルバネ６４の付勢力によって、一対の収納ケース５８Ａの各々の上面は、器具本体６の鍔部１６に接触するようになる。このとき、一対の収納ケース５８Ａ及び装飾リング５４Ａは、天井４に接触しない。
【００６９】
図１１Ａに示す状態では、一対のワイヤー２６の各々は、取出部８６の内部で第１のボス９２に引っ掛けられ、且つ、第１の取出口８８から取り出される。この状態では、一対のワイヤー２６の各々の取出部８６の内部に収納された部分の長さが比較的短くなるので、図１１Ｂに示すように、一対のワイヤー２６の各々の回動リング部材２４から装飾部材２８Ａまでの長さＬ１が比較的長くなる。そのため、図１１Ｂに示すように、器具本体６の開口部１４からソケット１０までの距離Ｄ１が比較的長い場合には、一対のワイヤー２６の各々を第１の取出口８８から取り出すことにより、一対のワイヤー２６の各々の回動リング部材２４から装飾部材２８Ａまでの長さＬ１を距離Ｄ１に応じた長さに調節することができる。
【００７０】
一方、図１２Ａに示す状態では、一対のワイヤー２６の各々は、取出部８６の内部で第２のボス９４に引っ掛けられ、且つ、第２の取出口９０から取り出される。この状態では、一対のワイヤー２６の各々の取出部８６の内部に収納された部分の長さが比較的長くなるので、図１２Ｂに示すように、一対のワイヤー２６の各々の回動リング部材２４から装飾部材２８Ａまでの長さＬ２（＜Ｌ１）が比較的短くなる。そのため、図１２Ｂに示すように、器具本体６Ａの開口部１４からソケット１０までの距離Ｄ２（＜Ｄ１）が比較的短い場合には、一対のワイヤー２６の各々を第２の取出口９０から取り出すことにより、一対のワイヤー２６の各々の回動リング部材２４から装飾部材２８Ａまでの長さＬ２を距離Ｄ２に応じた長さに調節することができる。
【００７１】
なお、図８に示すように、一対の取出部８６の各々の先端部は、装飾リング５４Ａの壁部６８Ａよりも装飾リング５４Ａの径方向内側（すなわち、器具本体６の開口部１４の周縁部よりも開口部１４の径方向内側）に突出している。これにより、第１の取出口８８及び第２の取出口９０の各々が装飾リング５４Ａの壁部６８Ａよりも装飾リング５４Ａの径方向内側に配置されるので、一対のワイヤー２６が器具本体６の内側面に接触するのを抑制することができる。
【００７２】
また、図８に示すように、装飾カバー５６Ａの開口縁部には、一対の取出部８６をそれぞれ逃がすための一対の切り欠き部９５が形成されている。なお、一対の取出部８６の各々は枠状に形成されているので、ランプ２０からの光の一部は、一対の取出部８６の各々の開口部を通過して下方に照射されるようになる。
【００７３】
さらに、一対の収納ケース５８Ａの各々の第１の取出口８８は、器具本体６の中心軸Ｃ２に対して略対称に配置されている。また、一対の収納ケース５８Ａの各々の第２の取出口９０は、器具本体６の中心軸Ｃ２に対して略対称に配置されている。
【００７４】
［２−１−２．コイルバネの最大荷重］
ここで、コイルバネ６４の最大荷重について説明する。コイルバネ６４の直径を５ｍｍ、コイルバネ６４の材料をＳＵＳ３０４、距離Ｄ１（図１１Ｂ参照）と距離Ｄ２（図１２Ｂ参照）との差を６０ｍｍ、照明ユニット８Ａの重量を３００ｇ以下、器具本体６，６Ａの取付強度を１ｋｇ以下とした場合について考える。
【００７５】
この場合、器具本体６の開口部１４からソケット１０までの距離がＤ１であるときに、コイルバネ６４の最大荷重が１ｋｇを超えないようにする必要がある。そのため、コイルバネ６４の自由長を４５．５ｍｍ以下としたとき、コイルバネ６４の取付長（照明ユニット８をぶら下げたときの長さ）が６６ｍｍ以下であるときに取付荷重が１５０ｇ／個、コイルバネ６４の最大引張長１００ｍｍであるときに最大荷重が３２０ｇ／個となるようなコイルバネ６４を用いる。
【００７６】
これにより、コイルバネ６４の最大引張長１００ｍｍであるときには、器具本体６，６Ａに加わる荷重は、照明ユニット８Ａの重量３００ｇと、一対のコイルバネ６４の最大荷重６４０ｇとの合計９４０ｇとなるので、器具本体６，６Ａの取付強度を１ｋｇ以下に抑えることができる。
【００７７】
［２−２．効果］
以上説明したように、実施の形態２に係る照明器具２Ｂでは、収納ケース５８Ａは、所定方向に並んで配置された第１の取出口８８及び第２の取出口９０を有している。ワイヤー２６は、第１の取出口８８及び第２の取出口９０のいずれか一方から収納ケース５８Ａの外部に取り出される。
【００７８】
この構成によれば、器具本体６の開口部１４からソケット１０までの距離Ｄ１，Ｄ２に応じて、一対のワイヤー２６の各々を第１の取出口８８及び第２の取出口９０のいずれか一方から取り出すことにより、一対のワイヤー２６の各々の回動リング部材２４から装飾部材２８Ａまでの長さＬ１，Ｌ２を距離Ｄ１，Ｄ２に応じた長さに調節することができる。
【００７９】
さらに、収納ケース５８Ａは、コイルバネ６４を伸縮自在に収納するケース本体部８５と、ケース本体部８５からコイルバネ６４の伸縮方向に延び、ワイヤー２６の一部を移動自在に収納する取出部８６とを有している。取出部８６の先端部は、器具本体６の開口部１４の周縁部よりも開口部１４の径方向内側に突出している。第１の取出口８８及び第２の取出口９０は、取出部８６の前記先端部に配置されている。
【００８０】
この構成によれば、第１の取出口８８及び第２の取出口９０の各々が器具本体６の開口部１４の周縁部よりも開口部１４の径方向内側に配置されるので、一対のワイヤー２６が器具本体６の内側面に接触するのを抑制することができる。
【００８１】
さらに、取出部８６は、枠状に形成されている。
【００８２】
この構成によれば、ランプ２０からの光の一部は、一対の取出部８６の各々の開口部を通過して下方に照射されるようになるので、ランプ２０からの光の利用効率を高めることができる。
【００８３】
さらに、ワイヤー２６、コイルバネ６４及び収納ケース５８Ａはそれぞれ一対設けられている。一対の収納ケース５８Ａの各々の第１の取出口８８は、器具本体６の中心軸Ｃ２に対して略対称に配置されている。一対の収納ケース５８Ａの各々の第２の取出口９０は、器具本体６の中心軸Ｃ２に対して略対称に配置されている。
【００８４】
この構成によれば、一対のワイヤー２６を器具本体６の中心軸Ｃ２に対して略対称な位置に配置することができる。その結果、装飾部材２８Ａを回動リング部材２４から安定して吊り下げることができる。
【００８５】
（実施の形態３）
［３−１．照明器具の構成］
次に、図１３及び図１４を参照しながら、実施の形態３に係る照明器具２Ｂ及び照明ユニット８Ｂの各構成について説明する。図１３は、実施の形態３に係る照明器具２Ｂを示す斜視図である。図１４は、実施の形態３に係る照明ユニット８Ｂを示す斜視図である。
【００８６】
実施の形態３に係る照明器具２Ｂでは、器具本体６Ｂ、ランプ２０Ｂ及び回動リング部材２４Ｂの各構成が実施の形態１と異なっている。
【００８７】
図１３に示すように、ソケット１０Ｂは、器具本体６Ｂの外側面から径方向外側に突出するように配置されている。これにより、ランプ２０Ｂは、ＬＥＤモジュール３６（図３参照）の光軸Ｃ１が器具本体６Ｂの中心軸Ｃ２に対して略垂直となる姿勢（すなわち、横向きの姿勢）で配置される。このとき、ランプ２０Ｂのグローブ３８Ｂは、器具本体６Ｂの中心軸Ｃ２上に配置されるようになる。
【００８８】
なお、ランプ２０Ｂのグローブ３８Ｂの形状が実施の形態１と異なっており、図１４に示すように、グローブ３８Ｂは有底円筒状に形成されている。
【００８９】
さらに、図１４に示すように、回動リング部材２４Ｂは、第１のリング本体１１６、第２のリング本体１１８及び複数の接続部１２０を有している。なお、これらの第１のリング本体１１６、第２のリング本体１１８及び複数の接続部１２０は、例えば樹脂で一体に形成されている。
【００９０】
第１のリング本体１１６は、リング状に形成されている。より具体的な形状としては、第１のリング本体１１６は、ランプ２０Ｂの筐体３０の形状に対応して、一端部から他端部にかけて直径が漸増するラッパ状に形成されている。第１のリング本体１１６は、ランプ２０Ｂの筐体３０の外周部に、ランプ２０Ｂに対して回動自在に取り付けられている。
【００９１】
第２のリング本体１１８は、リング状に形成され、複数の接続部１２０を介して第１のリング本体１１６の他端部における開口縁部と接続されている。第２のリング本体１１８は、グローブ３８Ｂの外周部に、ランプ２０Ｂに対して回動自在に配置されている。また、第２のリング本体１１８は、器具本体６Ｂの中心軸Ｃ２上に配置されている。
【００９２】
第２のリング本体１１８には、一対の連結部４８Ｂが形成されている。一対の連結部４８Ｂは、第２のリング本体１１８の中心軸に対して略対称な位置に配置されている。一対の連結部４８Ｂの各々には、連結リング５０を回動自在に挿通するための挿通孔５２が形成されている。
【００９３】
［３−２．効果］
以上説明したように、実施の形態３に係る照明器具２Ｂでは、実施の形態１及び２で説明した効果に加えて、次のような効果を得ることができる。すなわち、連結リング５０が連結部４８Ｂに対して回動自在であるので、ランプ２０Ｂが横向きの姿勢及び縦向きの姿勢のいずれの姿勢で配置されている場合であっても、装飾部材２８を回動リング部材２４Ｂから吊り下げることができる。
【００９４】
（実施の形態４）
［４−１．照明器具の構成］
次に、図１５及び図１６を参照しながら、実施の形態４に係る照明器具２Ｃ及び照明ユニット８Ｃの各構成について説明する。図１５は、実施の形態４に係る照明器具２Ｃを示す斜視図である。図１６は、実施の形態４に係る照明ユニット８Ｃを示す斜視図である。
【００９５】
実施の形態４に係る照明器具２Ｃでは、回動リング部材２４Ｃの構成が実施の形態３と異なっている。図１５及び図１６に示すように、回動リング部材２４Ｃは、第１のリング本体１１６、第２のリング本体１１８Ｃ及び複数の接続部１２０に加えて、反射部１２２を有している。なお、これらの第１のリング本体１１６、第２のリング本体１１８Ｃ、複数の接続部１２０及び反射部１２２は、例えば樹脂で一体に形成されている。
【００９６】
反射部１２２は、半円筒状に形成され、第１のリング本体１１６の下端部における開口縁部からグローブ３８Ｂの上側を覆うように延びている。反射部１２２の内面（グローブ３８Ｂに対向する面）には、ＬＥＤモジュール３６（図３参照）からの光を器具本体６Ｂの開口部１４に向けて反射する反射面１２４が形成されている。なお、反射面１２４の形成方法は、特に限定されない。例えば、回動リング部材２４Ｃの全体を白色の樹脂で形成することにより反射面１２４を形成してもよく、あるいは、反射部１２２の内面に反射膜を形成することにより反射面１２４を形成してもよい。
【００９７】
なお、図１６に示すように、第２のリング本体１１８Ｃは、半円形状に形成されており、反射部１２２の周方向における両端部に接続されている。
【００９８】
［４−２．効果］
以上説明したように、実施の形態４に係る照明器具２Ｃでは、実施の形態１及び２で説明した効果に加えて、次のような効果を得ることができる。すなわち、反射部１２２がグローブ３８Ｂの上側を覆っているので、ランプ２０Ｃからの光の利用効率を高めることができる。
【００９９】
（実施の形態５）
［５−１．照明器具の構成］
次に、図１７を参照しながら、実施の形態５に係る照明器具２Ｄ及び照明ユニット８Ｄの各構成について説明する。図１７は、実施の形態５に係る照明器具２Ｄを示す斜視図である。なお、説明の都合上、図１７では、器具本体６の一部を切り欠いて図示してある。
【０１００】
実施の形態５に係る照明器具２Ｄでは、装飾部材２８ＡにＬＥＤモジュール１２６（光源の一例）が配置されている点と、器具本体６のソケット１０に回路ボックス１２８が着脱自在に取り付けられている点とが実施の形態２と異なっている。
【０１０１】
図１７に示すように、ＬＥＤモジュール１２６は、円板状の基板１３０と、基板１３０に実装された複数のＬＥＤチップ１３２と、複数のＬＥＤチップ１３２を封止する封止部材（図示せず）とを有している。基板１３０は、複数のＬＥＤ１３２が下方を向くようにして装飾カバー５６Ａの内部に配置されている。ＬＥＤモジュール１２６の実装構造は、例えばＬＥＤチップ１３２が基板１３０上に直接実装されたＣＯＢ構造である。なお、基板１３０の形状は円板状に限定されず、例えばリング状であってもよい。
【０１０２】
また、図１７に示すように、回路ボックス１２８は、筐体１３４、口金１３６及び回路ユニット１３８を有している。
【０１０３】
筐体１３４は、一端部から他端部にかけて直径が漸増するラッパ状に形成されている。この筐体１３４の外周部には、固定リング部材２２及び回動リング部材２４が配置されている。
【０１０４】
口金１３６は、ＬＥＤモジュール１２６を発光させるための交流電力を受電する受電部であり、筐体１３４の一端部に配置されている。口金１３６は、器具本体６のソケット１０に着脱自在にねじ込まれる。
【０１０５】
回路ユニット１３８は、ＬＥＤモジュール３６を駆動するためのものであり、筐体１３４の内部に配置されている。回路ユニット１３８は、筐体１３４の内部で口金１３６と電気的に接続されている。また、回路ユニット１３８は、リード線１３７を介してＬＥＤモジュール１２６の基板１３０と電気的に接続されている。回路ユニット１３８は、口金１３６から供給された交流電力を、整流、平滑及び降圧等することにより所定レベルの直流電力に変換し、当該直流電力をリード線を介してＬＥＤモジュール１２６に供給する。
【０１０６】
なお、本実施の形態では、回路ユニット１３８を筐体１３４の内部に配置したが、これに限定されず、例えばＬＥＤモジュール１２６の基板１３０上に配置してもよい。
【０１０７】
［５−２．効果］
以上説明したように、実施の形態５に係る照明器具２Ｄでは、ＬＥＤモジュール１２６が装飾部材２８Ａに配置されるので、照明器具２Ｄのデザインのバリエーションを高めることができる。
【０１０８】
（変形例等）
以上、本発明について実施の形態１〜５に基づいて説明したが、本発明は、上記各実施の形態に限定されるものではない。
【０１０９】
例えば、上記各実施の形態では、ＬＥＤモジュール３６の実装構造をＣＯＢ構造としたが、これに限定されず、例えばＬＥＤチップ４４がパッケージ化されたＬＥＤ素子を基板４２上に実装したＳＭＤ（Ｓｕｒｆａｃｅ  Ｍｏｕｎｔ  Ｄｅｖｉｃｅ）構造としてもよい。
【０１１０】
例えば、上記各実施の形態では、コイルバネ６４を装飾部材２８（２８Ａ）側に配置したが、ランプ２０（２０Ｂ）側に配置してもよい。
【０１１１】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１１２】
２，２Ａ，２Ｂ，２Ｃ，２Ｄ  照明器具
６，６Ａ，６Ｂ  器具本体
８，８Ａ，８Ｂ，８Ｃ，８Ｄ  照明ユニット
１０，１０Ｂ  ソケット
１４  開口部
１６  鍔部
２０，２０Ｂ，７４  ランプ（照明部材）
２６  ワイヤー（吊下部材）
２８，２８Ａ  装飾部材
３２，１３６  口金
５４，５４Ａ  装飾リング
５６，５６Ａ  装飾カバー
５８，５８Ａ  収納ケース
６４  コイルバネ（付勢部材）
８５  ケース本体部
８６  取出部
８８  第１の取出口
９０  第２の取出口
Ｃ１  光軸
Ｃ２  中心軸
【図１】
0006624557.tif 000002
【図２】
0006624557.tif 000003
【図３】
0006624557.tif 000004
【図４】
0006624557.tif 000005
【図５】
0006624557.tif 000006
【図６】
0006624557.tif 000007
【図７】
0006624557.tif 000008
【図８】
0006624557.tif 000009
【図９Ａ】
0006624557.tif 000010
【図９Ｂ】
0006624557.tif 000011
【図１０】
0006624557.tif 000012
【図１１Ａ】
0006624557.tif 000013
【図１１Ｂ】
0006624557.tif 000014
【図１２Ａ】
0006624557.tif 000015
【図１２Ｂ】
0006624557.tif 000016
【図１３】
0006624557.tif 000017
【図１４】
0006624557.tif 000018
【図１５】
0006624557.tif 000019
【図１６】
0006624557.tif 000020
【図１７】
0006624557.tif 000021